(57)【要約】  意図しない接触による誤操作を防止すると共に、画面表示を確認することなく操作可能な電子機器を提供する。  本発明に係る電子機器１０は、所定の機能が対応付けられたオブジェクトを表示する表示部１０２と、タッチセンサ１０３と、前記タッチセンサのタッチ面に対して触感を呈示する触感呈示部１０４と、前記オブジェクトの表示面に対する接触が検出された場合に第１の触感を呈示するように前記触感呈示部１０４を制御し、さらに、当該接触の押圧に基づくデータが所定の閾値を満たす場合、前記オブジェクトに対応付けられた前記所定の機能を実行する制御部１０６と、を備える。
2012108203.tif 000002
【特許請求の範囲】
【請求項１】
所定の機能が対応付けられたオブジェクトを表示する表示部と、
タッチセンサと、
前記タッチセンサのタッチ面に対して触感を呈示する触感呈示部と、
前記オブジェクトの表示面に対する接触が検出された場合に第１の触感を呈示するように前記触感呈示部を制御し、さらに、当該接触の押圧に基づくデータが所定の閾値を満たす場合、前記オブジェクトに対応付けられた前記所定の機能を実行する制御部と、を備える電子機器。
【請求項２】
前記表示部は、複数のオブジェクトを表示可能であり、
前記制御部は、前記第１の触感を前記オブジェクト毎に設定する、請求項１に記載の電子機器。
【請求項３】
前記制御部は、前記オブジェクトに対する前記接触の前記押圧に基づくデータが前記所定の閾値を満たす場合、第２の触感を呈示するように前記触感呈示部を制御する、請求項１に記載の電子機器。
【請求項４】
前記制御部は、前記オブジェクトの表示面に対する接触開始時の押圧に基づくデータにさらに所定値を加えた値を前記所定の閾値とする、請求項１に記載の電子機器。
【請求項５】
前記制御部は、前記オブジェクトに対する接触が検出された際に所定の閾値が検出限界値を超える場合、報知を実行する、請求項４に記載の電子機器。
【請求項６】
前記制御部は、前記所定値を、前記オブジェクト毎に設定する、請求項４に記載の電子機器。
【請求項７】
前記制御部は、前記所定値を、外部条件によって変化させる、請求項４に記載の電子機器。
【請求項８】
所定の機能が対応付けられたオブジェクトを表示する表示部と、
タッチセンサと、
前記タッチセンサのタッチ面に対して触感を呈示する触感呈示部と、を備える電子機器の制御方法であって、
前記オブジェクトの表示面に対する接触が検出された場合に第１の触感を呈示するように前記触感呈示部を制御するステップと、さらに、当該接触の押圧に基づくデータが所定の閾値を満たす場合、前記オブジェクトに対応付けられた前記所定の機能を実行するステップと、を有する電子機器の制御方法。
【発明の詳細な説明】
【関連出願へのクロスリファレンス】
【０００１】
本出願は、日本国特許出願２０１１−２６７４９号（２０１１年２月１０日出願）の優先権を主張するものであり、当該出願の開示全体を、ここに参照のために取り込む。
【技術分野】
【０００２】
この発明は、電子機器及び電子機器の制御方法に関する。
【背景技術】
【０００３】
弱視者、盲目者といった視覚障害者にとって使いやすい電子機器が検討されている。従来の電子機器における視覚障害者向けの操作補助技術としては、例えば筐体に凹凸を付けたり、音声で操作内容を読み上げるものがある。しかし、筐体の凹凸では表現できるパターンが少なく、また、音声を読み上げる方式は、公共の場では使用しにくいという課題がある。また、アイコンが画面上に表示される電子機器において、過去のアイコンの選択頻度に応じてアイコンの表示態様を変更する技術も存在する（例えば、特許文献１参照）。
【先行技術文献】
【特許文献】
【０００４】
【特許文献１】特開２００９−２５９０５号公報
【発明の概要】
【発明が解決しようとする課題】
【０００５】
しかし、特許文献１に記載の技術では、視覚障害者にとって表示態様の変更を確認することは困難であり、また、意図しないアイコンに誤って触れることによる誤操作を防止することができなかった。【０００６】
ユーザの誤操作を防止するために設定可能な操作としては、例えば、同じ位置を素早くタッチする操作（ダブルクリック）、目的の位置をタッチしたまま別のキーを押下する操作、目的の位置をタッチしたまま電子機器を振る（電子機器本体そのものを操作する）操作、及び、目的の位置を長押しする操作等が考えられる。しかし、視覚障害者にとって同じ位置を正確に素早くタッチすることは難しい。また、目的の位置をタッチした上で別の操作を行うこともユーザにとって煩わしく現実的ではない。また、長押しは一定時間画面を押し続ける必要があり、素早い操作を行うことができないという問題がある。【０００７】
したがって、かかる点に鑑みてなされた本発明の目的は、意図しない接触による誤操作を防止すると共に、画面表示を確認することなく操作可能な電子機器を提供することにある。
【課題を解決するための手段】
【０００８】
上述した諸課題を解決すべく、第１の観点による電子機器は、
所定の機能が対応付けられたオブジェクトを表示する表示部と、
タッチセンサと、
前記タッチセンサのタッチ面に対して触感を呈示する触感呈示部と、
前記オブジェクトの表示面に対する接触が検出された場合に第１の触感を呈示するように前記触感呈示部を制御し、さらに、当該接触の押圧に基づくデータが所定の閾値を満たす場合、前記オブジェクトに対応付けられた前記所定の機能を実行する制御部と、を備えるものである。【０００９】
また、第２の観点による電子機器は、
前記表示部は、複数のオブジェクトを表示可能であり、
前記制御部は、前記第１の触感を前記オブジェクト毎に設定するものである。【００１０】
また、第３の観点による電子機器は、
前記制御部は、前記オブジェクトに対する前記接触の前記押圧に基づくデータが前記所定の閾値を満たす場合、第２の触感を呈示するように前記触感呈示部を制御するものである。【００１１】
また、第４の観点による電子機器は、
前記制御部は、前記オブジェクトの表示面に対する接触開始時の押圧に基づくデータにさらに所定値を加えた値を前記所定の閾値とするものである。【００１２】
また、第５の観点による電子機器は、
前記制御部は、前記オブジェクトに対する接触が検出された際に前記所定の閾値が検出限界値を超える場合、所定の報知を実行することを特徴とするものである。【００１３】
また、第６の観点による電子機器は、
前記制御部は、前記所定値を、前記オブジェクト毎に設定するものである。【００１４】
また、第７の観点による電子機器は、
前記制御部は、前記所定値を、外部条件によって変化させるものである。【００１５】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。【００１６】
例えば、本発明を方法として実現させた第８の観点による電子機器の制御方法は、
所定の機能が対応付けられたオブジェクトを表示する表示部と、
タッチセンサと、
前記タッチセンサのタッチ面に対して触感を呈示する触感呈示部と、を備える電子機器の制御方法であって、
前記オブジェクトの表示面に対する接触が検出された場合に第１の触感を呈示するように前記触感呈示部を制御するステップと、さらに、当該接触の押圧に基づくデータが所定の閾値を満たす場合、前記オブジェクトに対応付けられた前記所定の機能を実行するステップと、を有するものである。
【発明の効果】
【００１７】
本発明に係る電子機器及び電子機器の制御方法によれば、意図しない接触による誤操作を防止すると共に、画面表示を確認することなく操作可能な電子機器を提供することができる。
【図面の簡単な説明】
【００１８】
【図１】図１は、本発明の一実施形態に係る携帯端末の機能ブロック図である。
【図２】図２は、図１に示す携帯端末の動作シーケンスを示す図である。
【図３】図３は、本発明の一実施形態に係る携帯端末の動作例を示す図である。
【図４】図４は、本発明の一実施形態に係る携帯端末の動作例を示す図である。
【図５】図５は、本発明の一実施形態に係る携帯端末の動作例を示す図である。
【発明を実施するための形態】
【００１９】
以降、諸図面を参照しながら、本発明の実施態様を詳細に説明する。以下の実施形態においては、本発明の電子機器の一例として、携帯電話やＰＤＡなどのような携帯端末であってタッチパネルを備えているものを想定して説明する。しかしながら、本発明の電子機器は、これらの端末に限定されるものではなく、例えば、ゲーム機、デジタルカメラ、ポータブルオーディオプレーヤ、ノートＰＣ、ミニノートＰＣなどの種々の電子機器とすることができる。
【００２０】
図１は、本発明の一実施形態に係る携帯端末１０の内部構成を概略的に示す機能ブロック図である。図１に示すように、携帯端末１０は、タッチパネル１０１と、触感呈示部１０４と、押圧検出部１０５と、制御部１０６とを備えている。
【００２１】
本実施形態では、タッチパネル１０１は、表示部１０２と、タッチセンサ１０３とを備えている。このタッチパネル１０１は、ユーザの接触を検出するタッチセンサ１０３を、表示部１０２の前面に重畳させて配置することにより構成する。なお、本実施形態は、表示部１０２の前面に指示部材を介してタッチセンサ１０３を形成する場合も含むものとする。
【００２２】
タッチパネル１０１の表示部１０２は、例えば液晶ディスプレイ（ＬＣＤ）または有機ＥＬディスプレイなどで構成される。表示部１０２は、所定の機能に対応付けられたオブジェクトを表示するものである。オブジェクトとは、アプリケーションを起動するためのアイコンや、アプリケーションのＧＵＩ（Graphical User Interface）に含まれるメニューやボタンなど、ユーザによる入力操作の対象となるものである。表示部１０２の前面には、ユーザの指などによるタッチ面への接触を検出するタッチセンサ１０３が配設される。このタッチセンサ１０３は、例えば抵抗膜方式、静電容量方式、光学式等の公知の方式のもので構成される。タッチセンサ１０３は、ユーザの指などの接触を検知すると、接触位置の情報を制御部１０６に供給する。なお、タッチセンサ１０３が接触を検出する上で、ユーザの指等がタッチセンサ１０３に物理的に接触することは必須ではない。例えば、タッチセンサ１０３が光学式である場合には、タッチセンサ１０３は、赤外線が指等により遮られた位置を検出するため、物理的な接触がない場合でも接触を検出することができる。
【００２３】
触感呈示部１０４は、タッチセンサ１０３のタッチ面に振動を伝えるもので、例えば、圧電素子または超音波振動子などを用いて構成する。この触感呈示部１０４が振動することにより、タッチセンサ１０３に接触しているユーザの指などに対して触感を呈示することができる。また、触感呈示部１０４は、振動モータ（偏心モータ）により携帯端末１０を振動させることにより、タッチセンサ１０３のタッチ面を間接的に振動させるように構成することもできる。なお、触感呈示部１０４が呈示する触感は、振動の仕方（周波数、位相、振動間隔、振動回数など）や振動の強さ（振幅など）等により規定されるものである。
【００２４】
押圧検出部１０５は、タッチセンサ１０３のタッチ面に対する押圧を検出するもので、例えば圧電素子、歪みゲージセンサなどを用いて構成する。押圧検出部１０５は、検出した押圧に基づくデータを制御部１０６に供給する。押圧に基づくデータとは、例えば、押圧の荷重値（Ｎ）、押圧によって圧電素子から生じる電圧（Ｖ）若しくは電力（Ｗ）、押圧により変化する歪みゲージセンサの抵抗値（Ω）、又はそれらに関連するデータ等である。なお、例えば、触感呈示部１０４及び押圧検出部１０５を共に圧電素子を用いて構成する場合は、触感呈示部１０４及び押圧検出部１０５を共通の圧電素子により一体化して構成することができる。圧電素子は、圧力が加えられると電力を発生し、電力が加えられると変形するという性質を有するためである。このように、圧電素子により一体化して構成する場合、表示部１０２の四隅に形成した弾性部材を介してタッチセンサ１０３を保持し、タッチセンサ１０３の底面の辺側に圧電素子を貼り付けるような構成とすればよい。
【００２５】
制御部１０６は、携帯端末１０の各機能部をはじめとして携帯端末１０の全体を制御および管理するものであり、ＣＰＵ等の好適なプロセッサによって構成される。特に、制御部１０６は、表示部１０２に表示されたオブジェクトに対する接触が検出された場合に所定の触感（第１の触感）を呈示するように触感呈示部１０４を制御し、その後さらに、当該オブジェクトに対する接触の押圧に基づくデータが所定の閾値を満たした場合に、当該オブジェクトに対応付けられた所定の機能を実行する。即ち、制御部１０６は、オブジェクトに対する最初の接触をユーザからの問い合わせとみなし、触感を呈示することによってユーザに対して接触位置の情報（例えば、アイコンの有無や種類）を通知する。その後、ユーザが触感を確認し、さらに強い押圧の接触を行った場合に、制御部１０６は、ユーザによりオブジェクトの選択操作が行われた判断し、選択されたオブジェクトに対応付けられた所定の機能（例えば、アプリケーションの起動）を実行する。
【００２６】
制御部１０６は、まず、ユーザから最初の接触が行われた場合に、オブジェクトの有無を触感によって通知することができる。例えば、制御部１０６は、オブジェクトに対して接触が行われた場合にユーザに対して触感を呈示し、それ以外の領域に対して接触が行われた場合には触感を呈示しない（又はオブジェクトが存在しない旨を示す触感を呈示する）ことにより、ユーザに対して接触位置の情報を伝えることができる。また、制御部１０６は、ユーザからオブジェクトの表示面に対する接触が行われた場合に、当該オブジェクトの種類を触感によって通知することができる。例えば、オブジェクト毎に触感が設定されている場合、制御部１０６は、接触された位置に表示されたオブジェクトに対応する触感をユーザに呈示することにより、ユーザに対して接触位置の情報（例えば、アイコンの種類）をより具体的に伝えることができる。
【００２７】
ユーザからの最初の接触に対して触感を呈示した後、制御部１０６は、ユーザによるオブジェクトの選択に関する閾値（選択閾値）を動的に設定することができる。例えば、制御部１０６は、接触に対して触感を呈示した際の押圧に基づくデータに、値Δを加えた値を選択閾値として設定することができる。また、制御部１０６は、値Δの値をオブジェクト毎に設定することができる。例えば、利用頻度の高いアプリケーションのアイコンについては値Δを小さくし、利用頻度の低いアプリケーションについては値Δを大きく設定してもよい。これにより、利用頻度の高いアプリケーションの実行が容易となる。また、制御部１０６は、接触に対して触感を呈示した際の押圧に基づくデータに値Δを加えた値が押圧検出部１０５の検出限界値を超える場合には、ユーザに対してその旨の報知を実行することができる。ここで報知とは、例えば触感呈示部１０４を用いた触感（エラー触感）による報知や、図示しないスピーカを用いた音による報知を含むものである。
【００２８】
ユーザが触感により接触位置の情報を確認し、さらに強い押圧の接触を行った場合、制御部１０６は、オブジェクトに対応付けられた機能の実行し、さらに、所定の触感（第２の触感）を呈示するように触感呈示部１０４を制御することができる。接触位置の情報を通知する第１の触感と、オブジェクトに対応付けられた機能が実行されたことを示す第２の触感とは、同じ触感を用いても良いし、異なる触感を用いても良い。また、第２の触感は、オブジェクトの種類に応じて異なる触感を設定することもできる。
【００２９】
図２は、携帯端末１０の動作シーケンスを示す図である。まず、タッチセンサ１０３がユーザからの接触を検出すると（ステップＳ１０１）、押圧検出部１０５は、当該接触による押圧を検出する（ステップＳ１０２）。制御部１０６は、接触の位置情報から、接触された位置に表示されたオブジェクトを判定する（ステップＳ１０３）。次いで、制御部１０６は、押圧検出部１０５が検出する押圧に基づくデータを判定する（ステップＳ１０４）。
【００３０】
制御部１０６は、押圧検出部１０５が検出している押圧に基づくデータに、値Δを追加できるか否かを判定する（ステップＳ１０５）。値Δを追加できない場合、制御部１６は、ユーザに対してエラー触感を呈示するように触感呈示部１０４を制御する（ステップＳ１０６）。なお、値Δを追加できない場合とは、例えば、初回接触時の押圧が強すぎ、押圧検出部１０５が検出している押圧に基づくデータに値Δを加えた値が押圧検出部１０５の検出上限値を超える場合である。エラー触感呈示後、制御部１０６は、各機能部の処理を終了させる。
【００３１】
ステップＳ１０５において値Δを追加できる場合、制御部１０６は、オブジェクトを選択するための選択閾値を設定する（ステップＳ１０７）。例えば、制御部１０６は、押圧検出部１０５が検出した押圧に基づくデータに値Δを加えた値を選択閾値とすることができる。次いで、制御部１０６は、ユーザに対して所定の触感を呈示するように触感呈示部１０４を制御する（ステップＳ１０８）。例えば、制御部１０６は、接触された位置に表示されたオブジェクトに応じた触感を呈示することができる。即ち、制御部１０６は、ユーザの接触位置の情報を振動によってユーザに通知することができる。触感呈示後、各機能部には触感呈示が完了した旨が通知される。
【００３２】
ユーザがステップＳ１０８で呈示された触感を確認し、さらに強い押圧で接触を行うと、タッチセンサ１０３は当該接触を検出し（ステップＳ１０９）、押圧検出部１０５は、当該接触の押圧を検出する（ステップＳ１１０）。制御部１０６は、押圧検出部１０５が検出した押圧に基づくデータを判定し（ステップＳ１１１）、押圧に基づくデータが、ステップＳ１０７で設定した選択閾値を満たしているか否かを判定する（ステップＳ１１２）。
【００３３】
押圧に基づくデータが選択閾値を満たしている場合、制御部１０６は、オブジェクトに対応付けられた所定の機能を実行する（ステップＳ１１３）。次いで、制御部１０６は、ユーザに所定の触感を呈示するように触感呈示部１０４を制御する（ステップＳ１１４）。触感呈示後、各機能部には処理が終了した旨が通知される。なお、ステップＳ１１２において押圧に基づくデータが選択閾値を満たしていない場合、制御部１０６は、各機能部の処理を終了させる。なお、Ｓ１０７において、選択閾値として、接触時の押圧に基づくデータに所定の値Δを加えた値としているが、本実施例はこれに限られず、例えば、所定の値（例えば、２Ｎ）のみを所定の閾値としてもよい。
【００３４】
図３は、携帯端末１０の動作例を示す図である。図３（ａ）のように、表示部１０２に表示されたメールアプリケーションのアイコンに対して、ユーザの指による接触が行われると、図３（ｂ）のように、携帯端末１０は、指に対して触感を呈示する処理を行う。即ち、携帯端末１０は、ユーザが最初にタッチセンサ１０３に対する接触を、ユーザからの問い合わせと判断し、接触位置の情報（例えば、メールアプリケーションのアイコンの存在）を振動によってユーザに通知する。携帯端末１０は、ユーザに接触位置の情報を振動により伝えることで、凹凸や鳴音なしでユーザへ操作の補助を提供することができる。次に、図３（ｃ）のように、ユーザがメールアプリケーションのアイコンを表示する表示面に強い押圧の接触を行うと、図３（ｄ）のように、接触された表示面に表示されたアイコンに対応付けられた機能（例えば、メールアプリケーションの起動）を実行する。つまり、携帯端末１０は、触感呈示後、更にユーザからアイコンを強く押し込む動作があった場合に、ユーザが触れた位置のアイコンを選択したものと判断する。これにより、ユーザは、一度触れた位置のアイコンを確認し、続けて正確に選択することが可能となる。
【００３５】
図４は、初回接触が強すぎる場合のエラー触感呈示の一例を示す図である。図４（ａ）のように、携帯端末１０は、初回接触時の押圧が強すぎ、押圧検出部１０５が検出した押圧に値Δを加えた値が押圧検出部１０５の検出上限値を超える場合、図４（ｂ）のように、ユーザに対してエラー触感を呈示する。
【００３６】
図５は、オブジェクト以外の領域に接触が行われた場合の処理の一例を示す図である。図５（ａ）のように、携帯端末１０は、オブジェクト以外の領域に接触が行われると、当該接触を無効な接触と判定し（図５（ｂ））、強い押圧の接触に対しても所定機能の実行は行わない（図５（ｃ））。
【００３７】
このように、本実施形態によれば、制御部１０６は、オブジェクトに対する接触が検出された場合に所定の触感（第１の触感）を呈示するように触感呈示部１０４を制御し、さらに、当該オブジェクトを表示する表示面に対する接触の押圧に基づくデータが選択閾値に達した場合、オブジェクトに対応付けられた所定の機能を実行する。これにより、ユーザは、意図しない接触による誤操作を防止することができると共に、画面表示を確認することなく電子機器を操作することが可能となる。即ち、弱視者、盲目者といった視覚障害者に対して、音を出しにくい公共の場においても、携帯端末の操作性を向上させることができる。
【００３８】
また、本実施形態によれば、オブジェクトを表示する表示面に対する接触が検出された場合の所定の触感は、オブジェクト毎に設定することができる。これにより、ユーザは画面表示を見ることなく、接触している表示面に表示されたオブジェクトを確認することができる。また、利用頻度の高いオブジェクトに特定の触感を設定することにより、ユーザの利便性を向上させることができる。また、キーボードのホームポジションキーのように接触の基点となるオブジェクトに特定の触感を設定することにより、ユーザは画面表示を見ることなく、接触位置を確認することが可能になる。
【００３９】
また、本実施形態によれば、制御部１０６は、オブジェクトを表示する表示面に対する接触の押圧が選択閾値に達した場合、所定の触感（第２の触感）を呈示するように触感呈示部１０４を制御することができる。これにより、ユーザに対してオブジェクトに対応付けられた機能を実行した旨を通知することができ、ユーザは画面表示を見ることなく、選択操作が正常に行われたことを確認することができる。
【００４０】
また、本実施形態によれば、制御部１０６は、オブジェクトを表示する表示面に対する接触開始時の押圧にさらに値Δを加えた値を選択閾値とすることができる。これにより、最初の問い合わせの接触と後続の選択の接触との間の値を常に一定にすることができ、ユーザは、初回接触時の押圧の強弱に関わらず、そこから一定の押圧を加えることにより選択操作を行うことが可能になる。
【００４１】
また、本実施形態によれば、制御部１０６は、オブジェクトに対する接触が検出された際に選択閾値が押圧検出部１０５の検出限界値を超える場合、報知を実行することができる。これにより、初めの接触が強すぎる場合など、ユーザに対してエラーを通知することができる。
【００４２】
また、本実施形態によれば、制御部１０６は、値Δを、オブジェクト毎に設定することができる。これにより、例えば利用頻度の高いアプリケーションの値Δを低く設定することにより、ユーザは接触位置の情報を触感で確認したあと、軽い力でスムーズに選択操作を行うことができる。
【００４３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部、各ステップなどに含まれる機能などは論理的に矛盾しないように再配置可能であり、複数の機能部やステップなどを１つに組み合わせたり、或いは分割したりすることが可能である。
【００４４】
例えば、制御部は、所定の値Δを、外部条件によって変化させることが可能である。タッチの強弱は使用する状況によって変動し得るものである。例えば電車の中など不安定な場所で使用した場合は、思いがけず強くタッチパネルを押圧してしまうことが考えられる。そのため、例えば携帯端末が加速度センサを備え、加速度センサが所定の閾値以上の加速度を検出している場合には、制御部は、所定の値Δを高い値に設定することができる。これにより、電車に乗っている場合などの不安定な状況でも、ユーザによる誤操作を防止することができる。なお、携帯端末は、加速度センサ以外に、振動センサ、ＧＰＳ等の位置情報センサによって外部の状況を取得することができる。即ち、携帯電話は、振動が大きい場合や、移動速度が速い場合などに、所定の値Δを高い値に設定することができる。また、逆に、携帯電話は、加速度が低い場合、振動が小さい場合や、移動速度が遅い場合などは、外部環境が安定しているものとして、所定の値Δを低い値に設定することができる。これにより、安定した状況では、ユーザは接触位置の情報を触感で確認したあと、軽い力で選択操作を行うことができる。
【００４５】
また、ユーザに対して接触位置の情報を通知する触感は、ユーザ毎やオブジェクトの機能毎に固有の振動パターンを予め設定するもの以外に、モールス信号のように個別の振動の組み合わせでオブジェクト内容を報知する方法が考えられる。
【００４６】
なお、接触位置の情報の通知に関し、従来技術のように音声で読上げていたものを振動で代替する場合、通知すべき事柄が多すぎてユーザが触感パターンを覚えきれないという問題も発生する。このため、ユーザが触感パターンを覚えきれないという問題については、触感パターンをカテゴライズすることで解決する方法が考えられる。例えば、「新規作成」というメニューはメールや電話帳、メモ帳など様々なアプリケーションで共通に登場する。その場合、各アプリケーションの「新規作成」というメニューに共通の触感パターンを設定することにより、ユーザが覚えるべき振動パターンを削減することが出来る。
【００４７】
なお、上記実施形態における表示部及びタッチセンサは、これら両機能を共通の基板に持たせる等により、一体化した装置によって構成されるようにしてもよい。このように表示部とタッチセンサとの両機能を一体化した装置の構成の一例としては、液晶パネルが有するマトリクス状配列の画素電極群に、フォトダイオード等の複数の光電変換素子を規則的に混在させたものを挙げることができる。この装置は、液晶パネル構造によって画像を表示する一方で、パネル表面の所望位置を接触するペンの先端で液晶表示用のバックライトの光を反射し、この反射光を周辺の光電変換素子が受光することによって、接触位置を検出することができる。
【００４８】
また、上記実施形態における制御部は、押圧検出部により検出される押圧に基づくデータが、所定の閾値を満たした際に、オブジェクトに対応付けられた所定の機能を実行する。この場合において、押圧検出部により検出される押圧に基づくデータが所定の基準を満たした際とは、押圧検出部により検出される押圧に基づくデータが所定値に達した際であってもよいし、押圧検出部により検出される押圧に基づくデータが所定値を超えた際でもよいし、押圧検出部により所定値が検出された際でもよい。
【００４９】
また、上述の説明において、例えば、所定値「以上」または所定値「以下」のような表現の技術的思想が意味する内容は必ずしも厳密な意味ではなく、携帯端末の仕様に応じて、基準となる値を含む場合または含まない場合の意味を包含するものとする。例えば、所定値「以上」とは、増大する値が所定値に達した場合のみならず、所定値を超えた場合も含意し得るものとする。また、例えば所定値「以下」とは、減少する値が所定値に達した場合のみならず、所定値を下回った場合、つまり所定値未満になった場合も含意し得るものとする。
【符号の説明】
【００５０】
１０  携帯端末
１０１  タッチパネル
１０２  表示部
１０３  タッチセンサ
１０４  触感呈示部
１０５  押圧検出部
１０６  制御部
【図１】
2012108203.tif 000003
【図２】
2012108203.tif 000004
【図３】
2012108203.tif 000005
【図４】
2012108203.tif 000006
【図５】
2012108203.tif 000007
【国際調査報告】
2012108203.tif 000008
2012108203.tif 000009